(57)【特許請求の範囲】
【請求項１】
遊技機本体(13)の前枠(12)に、その前枠(12)に対応して装着された遊技盤(16)と、該遊技盤(16)を前面側から開閉自在に覆うガラス扉(17)とを設け、前記ガラス扉(17)の上端部に、天報知カバー(44)と、該天報知カバー(44)の内部に配置された発光手段(45)及び効果音発生手段(46)とを有する天報知手段(43)を設けた遊技機において、前記ガラス扉(17)はその扉枠(38)の前側に装着され且つ上端が前記前枠(12)の上端と略同一高さの化粧カバー(40)を備え、該化粧カバー(40)は前記遊技盤(16)の遊技面(28)に対応する開口窓(41)と、該開口窓(41)の周縁から後方に屈曲する周縁屈曲部(42)とを備え、前記天報知カバー(44)は上部側が前記前枠(12)の前方側に突出し且つ前記ガラス扉(17)の横幅と略同程度の長さを有する横長状であって、前記ガラス扉(17)の上端と略同一高さの上壁部(47)と、該上壁部(47)の前端側から下方へと屈曲して上部から下方にかけて後ろ下がりに傾斜し且つ下端が前記開口窓(41)の頂上部近傍で前記化粧カバー(40)に当接する傾斜部(48)とを備えると共に、上下の固定手段(49)(50)により前記化粧カバー(40)の平坦部(51)に前側から着脱自在に固定されていることを特徴とする弾球遊技機。
【発明の詳細な説明】
【０００１】
【発明の属する技術分野】
本発明は、パチンコ機、アレンジボール機、回胴式遊技機等の遊技機に関するものである。
【０００２】
【従来の技術】
周知のように、パチンコ機等の弾球遊技機は、矩形状の外枠と、この外枠にヒンジを介して開閉自在に装着された前枠とにより遊技機本体を構成し、その前枠に遊技盤と、遊技盤の遊技面を前側から覆うガラス扉を装着している。
【０００３】
この種の弾球遊技機には、遊技盤の遊技面よりも上方に位置するように、前枠の前側上部に天報知手段を配置し、遊技中に遊技者に有利な特別遊技状態が発生した場合に、この天報知手段により、その特別遊技状態を遊技者等に報知している。
【０００４】
通常、天報知手段は、有色透明な合成樹脂材料等により構成され且つ前枠から前方に突出する天報知カバーと、この天報知カバー内に設けられた発光ダイオード等の発光手段とを備え、遊技中に特別遊技状態が発生すれば、発光手段を点滅発光させて、天報知カバーの前側が発光するようになっている。
【０００５】
【発明が解決しようとする課題】
遊技店では、弾球遊技機を装着する島構造体を複数列配置し、その島構造体間の通路側の床面に、各弾球遊技機に対応する椅子を設け、また通路の中央上方の天井側に、各島構造体側の弾球遊技機を前上方から照明するように、通路の長手方向に沿って蛍光灯等の照明灯を配置している。
【０００６】
しかし、従来の弾球遊技機は、前枠の前側上部に、前方に大きく突出する天報知手段があるため、この天報知手段により照明灯からの照明光が遮られて、遊技面の上部側に暗く影ができる問題がある。
【０００７】
即ち、近年の弾球遊技機では、装飾性、その他の点から天報知手段が大型化する傾向にあり、この大型化に起因して、天報知手段の前枠の前面側からの突出量が大になると共に、天報知手段と遊技面とが上下に近接する構造となっている。このため、前上方の照明灯からの照明光が天報知手段により遮られて、遊技面の上部に影ができ、その部分が暗くなる問題がある。
【０００８】
本発明は、このような従来の問題点に鑑み、天報知手段の発光表示面積を十分に確保しながら、遊技店に設置した場合にも天報知手段による前上方からの照明光の遮光を可及的に防止でき、遊技店の天井側の照明灯により遊技面の上部側を明るく照明できる遊技機を提供することを目的とする。
【０００９】
【課題を解決するための手段】
本発明は、遊技機本体13の前枠12に、その前枠12に対応して装着された遊技盤16と、該遊技盤16を前面側から開閉自在に覆うガラス扉17とを設け、前記ガラス扉17の上端部に、天報知カバー44と、該天報知カバー44の内部に配置された発光手段45及び効果音発生手段46とを有する天報知手段43を設けた遊技機において、前記ガラス扉17はその扉枠38の前側に装着され且つ上端が前記前枠12の上端と略同一高さの化粧カバー40を備え、該化粧カバー40は前記遊技盤16の遊技面28に対応する開口窓41と、該開口窓41の周縁から後方に屈曲する周縁屈曲部42とを備え、前記天報知カバー44は上部側が前記前枠12の前方側に突出し且つ前記ガラス扉17の横幅と略同程度の長さを有する横長状であって、前記ガラス扉17の上端と略同一高さの上壁部47と、該上壁部47の前端側から下方へと屈曲して上部から下方にかけて後ろ下がりに傾斜し且つ下端が前記開口窓41の頂上部近傍で前記化粧カバー40に当接する傾斜部48とを備えると共に、上下の固定手段49,50 により前記化粧カバー40の平坦部51に前側から着脱自在に固定されている。
【００１０】
【発明の実施の形態】
以下、本発明の実施形態を図面に基づいて詳述する。図１〜図６は本発明に係る遊技機の第１の実施形態を例示する。図１に示すように、遊技店内には、複数個の島構造体１  が通路２  の間隔を置いて設置されており、この各島構造体１  には、その通路２  を挟んで相対向するように弾球遊技機３  が配列されている。
【００１１】
各島構造体１  の下部には受け台４  が設けられ、また通路２  の床面５  には、各弾球遊技機３  に対応して遊技者の着座用椅子６  が設けられている。更に通路２  の幅方向の略中央部に対応する天井７  側には、遊技店内、取り分け各弾球遊技機３  を照明する照明灯８  が設けられている。
【００１２】
弾球遊技機３  は、図２に示すように、矩形枠状の外枠１０と、この外枠１０の前面にヒンジ１１を介して開閉自在に枢着された前枠１２とを有する遊技機本体１３を備え、その外枠１０が島構造体１  に装着されている。前枠１２の裏側には、その窓孔１４に対応して遊技盤装着枠１５が固定され、この遊技盤装着枠１５に裏側から遊技盤１６が着脱自在に装着されている。
【００１３】
前枠１２の窓孔１４には、遊技盤１６を前面側から覆うガラス扉１７と、その下側に配置された前面板１９とが設けられている。ガラス扉１７、前面板１９は、一端のヒンジ部２０，２１  を介して前枠１２に開閉自在に枢着されている。前面板１９には、発射用の遊技球を貯留する上皿２２が設けられている。
【００１４】
前枠１２の下部には、余剰球を貯留する下皿２３が装着され、この下皿２３の側方に、発射手段２４の発射ハンドル２５が配置されている。発射手段２４は、発射ハンドル２５を操作して、上皿２２から発射レール上に１個づつ供給される遊技球を打撃槌で打撃して遊技盤１６側に発射させるようになっている。
【００１５】
遊技盤１６の前面には、図３に示すように、発射手段２４から発射された遊技球を案内するガイドレール２６と内レール２７とが装着され、これらによって取り囲まれた遊技領域を構成する遊技面２８に特別図柄表示手段２９、普通図柄表示手段３０、特別図柄始動手段３１、普通図柄始動手段３２、大入賞手段３３、普通入賞手段３４〜３６、装飾ランプ３７等の遊技部品が設けられている。
【００１６】
普通図柄表示手段３０は、普通図柄始動手段３２が遊技球を検出することを条件に１個の普通図柄が所定時間変動して、その変動後の普通図柄が特定の当たり図柄となったときに、遊技者に有利になるように特別図柄始動手段３１を所定時間開放させるためのものである。
【００１７】
特別図柄表示手段２９は、特別図柄始動手段３１が遊技球を検出することを条件に３個の特別図柄が所定時間変動し、その変動後の特別図柄が特定の大当たり図柄となったときに、遊技者に有利になるように特別遊技状態（大当たり状態）を発生させて、大入賞手段３３を所定の条件下で最大所定回数まで開閉させるためのものである。
【００１８】
なお、特別図柄始動手段３１、入賞手段３３〜３６に遊技球が入賞すれば、その１入賞毎に規定数の賞品球が図外の球払い出し手段（図示省略）から払い出されるが、特別遊技状態が発生した場合には、大入賞手段３３の開閉により多数の遊技球が大入賞手段３３に入賞し易くなる。従って、遊技者は、比較的短時間で多数の賞品球を獲得することが可能である。
【００１９】
ガラス扉１７は、図４及び図５に示すように、板金製の扉枠３８と、扉枠３８の裏側に装着されたガラス板３９と、扉枠３８の前側に装着された化粧カバー４０を備えている。化粧カバー４０は、遊技盤１６の遊技面２８の前方に対応して形成された開口窓４１を有すると共に、上端が前枠１２の上端と略同一高さとなるように上方に延出されている。化粧カバー４０には、開口窓４１の周縁に、ガラス板３９の前側近傍へと後方に屈曲する周縁屈曲部４２が形成されている。なお、開口窓４１の上部側は、その中央部分が高くなる円弧状であって、ガイドレール２６の上部側と略同程度の曲率で湾曲している。
【００２０】
遊技機本体１３の前側上部には、図２、図４及び図５に示すように、ガラス扉１７の上端部に天報知手段４３が配設されている。この天報知手段４３は、遊技中に特別遊技状態等の遊技者に有利な状態が発生したときに、その遊技状態を遊技者に対して視覚的、聴覚的に報知するためのものであって、天報知カバー４４と、この天報知カバー４４の内部側に配置された発光手段４５及び効果音発生手段４６とを備え、ガラス扉１７の横幅と略同程度の長さの正面視横長状に構成されている。
【００２１】
天報知カバー４４は、正面視形状が横長矩形状であると共に、上部側が前枠１２の前方側に突出するように、側面視形状が三角形状であって、上端側の略水平な上壁部４７と、上壁部４７の前端側から下方に屈曲し且つ上部から下部にかけて後ろ下がりに後方に傾斜する傾斜部４８とを一体に備え、上下の固定手段４９，５０  により化粧カバー４０の平坦部５１に前側から着脱自在に固定されている。
【００２２】
上壁部４７は、ガラス扉１７の上端側と略同一高さになっている。傾斜部４８は傾斜方向に平坦状に形成され、下端が化粧カバー４０の開口窓４１の頂上部近傍で化粧カバー４０の平坦部５１に当接されている。この傾斜部４８は、弾球遊技機３  を島構造体１  に装着したときに、遊技盤１６の遊技面２８の上部側、特に開口窓４１の頂上近傍に影が極力できないように、弾球遊技機３  と照明灯８  との一般的な位置関係を考慮して、前上方の照明灯８  から遊技面２８に至る照明光を概ね遮光しない傾斜角度、例えば化粧カバー４０の垂直面に対して４５°以下の傾斜角度に設定されている。
【００２３】
なお、傾斜部48の傾斜角度は３０°以下が好ましいが、天報知カバー44の突出量（前後方向の寸法）、天報知カバー44の上下方向の寸法、天報知カバー44の内部の発光手段45の位置、発光手段45の支持構造等を考慮して、遊技面28の上部側に暗い影の部分が極力できないよう適宜決定すれば良い。
【００２４】
なお、傾斜部４８は、遊技面２８の上部側に影ができないか、又はその影が僅か程度となる範囲内であれば、図４に仮想線で示すように、前側に突出する円弧状に湾曲させても良いし、適当な凹凸形状に構成しても良い。
【００２５】
天報知カバー４４は、無色透明、無色半透明、有色透明又は有色半透明等の光透過性を有する合成樹脂製であり、その傾斜部４８に、発光手段４５の発光時に乱反射等によって光輝状態となる発光表示領域（図示省略）が設けられている。
【００２６】
なお、発光表示領域は、傾斜部４８の裏面側に縦方向、横方向又は縦横方向の溝を形成するか、又は無数の凹凸部を形成することにより、その略全体が粗面状に形成されている。天報知カバー４４は、複数色の成形体を組み合わせて構成しても良い。
【００２７】
固定手段４９，５０  は係合式であって、化粧カバー４０の平坦部５１に形成された係合部４９ａ，５０ａ  と、天報知カバー４４側に形成された係合爪４９ｂ，５０ｂ  とを備え、その係合爪４９ｂ，５０ｂ  を係合部４９ａ，５０ａ  に係脱自在に係合させることにより、天報知カバー４４を化粧カバー４０に固定するようになっている。なお、固定手段４９，５０  は、ネジ等で構成しても良い。
【００２８】
発光手段４５は、支持基板５２と、支持基板５２上に実装された複数個の発光ダイオード５３とを備えている。各発光ダイオード５３は、略同一の高さで支持基板５２に略垂直に装着されており、また支持基板５２は、天報知カバー４４の傾斜部４８と略同一の角度で略平行に傾斜して、取り付け具５４を介して化粧カバー４０に固定されている。従って、各発光ダイオード５３は、天報知カバー４４の傾斜部４８に対して略同一の間隔で略垂直に並べて配列されている。
【００２９】
支持基板５２にはリード線が接続され、このリード線は支持基板５２と化粧カバー４０との間を経て、ヒンジ部２０の近傍側で化粧カバー４０に形成された通孔から裏側に引き出され、前枠１２の裏側等の発光制御基板５５（図６参照）側に接続されている。
【００３０】
効果音発生手段４６はスピーカ等により構成され、天報知カバー４４の内部で化粧カバー４０の前面等に装着されている。この効果音発生手段４６のリード線は、化粧カバー４０の裏面側等を経てヒンジ部２０の近傍で前枠１２の裏側に引き出され、前枠１２の裏側等の効果音制御基板５７（図６参照）側に接続されている。なお、効果音発生手段４６は支持基板５２に装着しても良し、図５に仮想線で示すように傾斜部４８と平行に配置しても良い。また効果音発生手段４６は前枠１２の前側又は裏側等、前枠１２側に設けても良い。
【００３１】
効果音発生手段４６は左右方向の一端側にあり、この効果音発生手段４６の前側に対応して、傾斜部４８の一端側に効果音出口５６が設けられている。効果音出口５６は、傾斜部４８に形成された複数本の縦スリット又は多数の小孔等により構成されている。また効果音発生手段４６を左右方向に配置して、その各効果音発生手段４６からステレオ方式で効果音を発生させるようにしても良い。
【００３２】
発光制御基板５５、効果音制御基板５７は、図６に示すように、遊技盤１６側の遊技動作を制御する主制御基板５８から独立して設けられ、遊技中に遊技者に有利な遊技状態が発生したときに、主制御基板５８から送信される報知コマンドを受信して、その報知コマンドに応じて発光手段４５、効果音発生手段４６を夫々制御するようになっている。なお、発光制御基板５５、効果音制御基板５７に代えて１個の報知制御基板を設け、この報知制御基板により報知コマンドに応じて発光手段４５、効果音発生手段４６を夫々制御するようにしても良い。
【００３３】
天報知手段４３は、遊技者に有利な遊技状態が発生した場合に、発光手段４５の発光、効果音発生手段４６の効果音によりその遊技状態を報知するが、この遊技者に有利な状態には、次のような場合がある。
【００３４】
即ち、遊技者に有利な状態には、先ず第１に特別図柄表示手段２９の変動後の停止図柄が特定の大当たり図柄となることを条件に発生する特別遊技状態（大当たり状態）等であって、遊技者が比較的短時間で多数の賞品球を獲得できる特別遊技状態がある。
【００３５】
第２に大当たり図柄の種類等に応じて特別遊技状態の終了後に特別図柄表示手段２９での大当たり発生確率を低確率から高確率へと確率変動させる所謂確変、又は大当たり図柄の種類等に応じて特別遊技状態の終了後に普通図柄表示手段３０又は特別図柄表示手段２９での図柄変動時間を短縮させる所謂時短等、総体的に比較的短時間で特別遊技状態となる可能性が高い遊技状態がある。
【００３６】
第３に特別図柄表示手段２９の特別図柄の変動途中に、１個の特別図柄を除く他の特別図柄が同種類となるリーチ状態等、その後に特別遊技状態となる可能性が発生した遊技状態がある。
【００３７】
なお、天報知手段４３は、これらの遊技状態の内、何れか１つのみが発生した場合に報知するようにしても良いし、また特別遊技状態と確変、特別遊技状態と時短等のように何れか複数種類の遊技状態が発生した場合に、その各々を報知するようにしても良い。但し、複数種類の遊技状態を報知する場合には、遊技者が容易に遊技状態を把握できるように、その遊技状態の種類に応じて報知の態様を異ならせることが好ましい。
【００３８】
上記構成の弾球遊技機３  によれば、発射手段２４により発射された遊技球は、誘導レールに沿って誘導されて遊技盤１６の遊技領域の上部側に達した後、遊技面２８に沿って落下して行く。
【００３９】
遊技球が特別図柄始動手段３１に入賞すると、特別図柄表示手段２９の３個の特別図柄が所定時間変動し、その変動後に特別図柄が外れ図柄又は大当たり図柄を停止表示する。そして、特別図柄が大当たり図柄を表示すれば特別遊技状態が発生して、大入賞手段３３が最大所定回数まで開閉動作を繰り返し、多数の遊技球が大入賞手段３３に入賞し易くなり、遊技者に多大な利益が還元される。
【００４０】
特別遊技状態が発生すると、主制御基板５８からの報知コマンドにより天報知手段４３が発光手段４５の発光、効果音発生手段４６の効果音により、その特別遊技状態の発生を遊技者に対して視覚的、聴覚的に報知する。
【００４１】
例えば、発光手段４５では、特別遊技状態の継続中、報知コマンドに従って発光ダイオード５３が所定の周期で点滅発光を繰り返し、これによって傾斜部４８の発光表示領域が発光して、特別遊技状態の発生を遊技者に対して視覚的に報知する。また効果音発生手段４６では、同様に所定の効果音を発生し、特別遊技状態を遊技者に対して聴覚的に報知する。従って、遊技者は、そのときの遊技状態を視覚及び聴覚の両方から把握できる。
【００４２】
弾球遊技機３  を島構造体１  に装着した場合、図１に示すように照明灯８  が遊技機本体１３の上端側の天報知手段４３よりも前上方にあり、この照明灯８  により前上方から遊技盤１６側を照明することになる。しかし、天報知手段４３は、その天報知カバー４４の前側に傾斜部４８を備えた構造であって、この傾斜部４８が上部から下部にかけて後下がり状に傾斜しているため、遊技機本体１３の上部側に、遊技盤１６の遊技面２８よりも前方に突出する天報知手段４３があるにも拘らず、遊技面２８の上部側を照明する照明灯８  からの照明光を遮光することがない。
【００４３】
従って、遊技盤１６の遊技面２８の上部側には、その遊技面２８と化粧カバー４０側の開口窓４１の頂上側前面との間の前後方向の間隔に応じて若干の影ができる程度であって、従来に比較して遊技面２８の上部側で発生する影を可及的に少なくでき、遊技店の天井７  側の照明灯８  により遊技面２８を明るく照明できる。
【００４４】
また天報知手段４３に傾斜部４８を設けているが、傾斜部４８は上部から下部にかけて後下がり状に傾斜しており、この傾斜部４８によって発光表示領域の表示面積を十分に確保できるため、内部の発光手段４５で傾斜部４８の発光表示領域を広範囲にわたって発光させることが可能であり、発光手段４５の発光による報知効果が低下することもない。
【００４５】
しかも傾斜部４８が上部から下部にかけて後下がり状に傾斜しているため、遊技者は視線を若干上向きに上げることによって、その天報知手段４３の発光の有無を容易に確認できる。
【００４６】
更に天報知手段４３は、天報知カバー４４内に効果音発生手段４６を備えているため、発光手段４５と効果音発生手段４６とを別々のカバー内に設ける場合に比較して、その構造を簡単にできる。また効果音出口５６が傾斜部４８にあるので、効果音を遊技者に対して容易且つ確実に伝達できる。
【００４７】
図７は本発明の第２の実施形態を例示する。この実施形態では、天報知カバー４４は、後部から前部にかけて前下がりに傾斜する上壁部４７と、上壁部４７の前端側から下方に屈曲し且つ上部から下部にかけて後下がりに傾斜する傾斜部４８とを備えている。
【００４８】
発光手段４５は、支持基板５２が化粧カバー４０の平坦部５１に略平行に固定され、また各発光ダイオード５３と傾斜部４８との間隔が略一定となるように、上側の発光ダイオード５３のリード脚５３ａ  が長くなっている。そして、各発光ダイオード５３のリード脚５３ａ  は、発光ダイオード５３が傾斜部４８に対して略直角となるように、中間で一定方向にくの字状に屈曲している。
【００４９】
この場合には、天報知カバー４４の上壁部４７が前下がり状に傾斜するため、天報知カバー４４上にゴミ等が溜まり難くなると共に、天報知カバー４４の掃除も容易にできる。また発光手段４５の支持基板５２を化粧カバー４０に裏側等から固定できるため、その取り付け等も容易になる。
【００５０】
しかも、上側の発光ダイオード５３のリード脚５３ａ  を長くして各発光ダイオード５３と傾斜部４８との間隔を略一定にしているので、支持基板５２を化粧カバー４０側と平行にできるにも拘らず、発光ダイオード５３が発光したときにも、傾斜部４８の前面側に発光ムラが生じることもない。更に発光ダイオード５３のリード脚５３ａ  を屈曲させて、発光ダイオード５３を傾斜部４８に対して略直角にしているので、指向性のある発光ダイオード５３を使用しても、傾斜部４８の前側を十分に発光させることができる。
【００５１】
なお、この実施形態の場合にも、傾斜部４８は仮想線で示すように湾曲状に構成しても良い。また発光手段４５は、第１の実施形態と同様に支持基板５２を傾斜部４８と略平行に傾斜させても良い。
【００５２】
図８は本発明の第３の実施形態を例示する。この実施形態では、天報知カバー４４の上壁部４７の前端側が、その左右方向の両端側が前方に突出して中央部分が後方に凹入するように円弧状に湾曲して形成され、この上壁部４７の前端側から下方に屈曲するように傾斜部４８が形成されている。従って、傾斜部４８も、上壁部４７の前端縁の形状に沿って円弧状に湾曲している。
【００５３】
図９は本発明の第４の実施形態を例示し、天報知カバー４４の上壁部４７の前端側を第３の実施形態の場合とは逆方向に湾曲させたものである。この実施形態では、天報知カバー４４の上壁部４７の前端側が、その左右方向の中央部分が前方に突出して両端側が後方となるように円弧状に湾曲して形成されており、この上壁部４７の前端側から下方に屈曲するように傾斜部４８が形成されている。
【００５４】
これらの第３及び第４の実施形態の場合にも、傾斜部４８を上部から下部にかけて後下がりに傾斜させることができるので、第１の実施形態と同様の効果を得ることが可能である。なお、これらの場合にも、上壁部４７は前下がり状に傾斜させても良い。
【００５５】
以上、本発明の各実施形態について詳述したが、本発明は各実施形態に限定されるものではなく、本発明の趣旨を逸脱しない範囲で種々の変更が可能である。例えば、実施形態では、天報知手段４３の天報知カバー４４内に発光手段４５と効果音発生手段４６とを組み込んでいるが、この効果音発生手段４６は省略しても良い。
【００５６】
また実施形態では、ガラス扉１７の上端が前枠１２の上端まで達する構造のものを例示して、そのガラス扉１７の化粧カバー４０に天報知手段４３を装着しているが、扉枠３８が化粧カバー４０を兼用する構造の場合には、その扉枠３８に天報知手段４３を装着すれば良い。
【００５７】
更に弾球遊技機３  には、前枠１２の横枠部がガラス扉１７の上側で前面に露出する構造のものがあるが、この場合には前枠１２の上端部、即ち横枠部の前面側に天報知手段４３を装着しても良い。要するに天報知手段４３は、遊技面２８の上側で前方に突出するように設けておけば十分である。
【００５８】
また実施形態では、遊技媒体として遊技球を使用し、入賞時の賞品に遊技球を払い出すようにした弾球遊技機について説明したが、弾球遊技機であれば、パチンコ機、アレンジボール機、その他のものでも同様に実施可能である。更に遊技媒体としてコイン等を使用し、入賞時の賞品にコイン等の遊技媒体を払い出すようにした回胴式遊技機等の各種の遊技機においても同様に実施可能である。
【００５９】
【発明の効果】
本発明では、遊技機本体13の前枠12に、その前枠12に対応して装着された遊技盤16と、該遊技盤16を前面側から開閉自在に覆うガラス扉17とを設け、ガラス扉17の上端部に、天報知カバー44と、該天報知カバー44の内部に配置された発光手段45及び効果音発生手段46とを有する天報知手段43を設けた遊技機において、ガラス扉17はその扉枠38の前側に装着され且つ上端が前枠12の上端と略同一高さの化粧カバー40を備え、該化粧カバー40は遊技盤16の遊技面28に対応する開口窓41と、該開口窓41の周縁から後方に屈曲する周縁屈曲部42とを備え、天報知カバー44は上部側が前枠12の前方側に突出し且つガラス扉17の横幅と略同程度の長さを有する横長状であって、ガラス扉17の上端と略同一高さの上壁部47と、該上壁部47の前端側から下方へと屈曲して上部から下方にかけて後ろ下がりに傾斜し且つ下端が開口窓41の頂上部近傍で化粧カバー40に当接する傾斜部48とを備えると共に、上下の固定手段49,50 により化粧カバー40の平坦部51に前側から着脱自在に固定されているので、天報知手段43の表示面積を十分に確保しながら、遊技店に設置した場合にも天報知手段43による前上方からの照明光の遮光を可及的に防止でき、遊技店の天井7 側の照明灯8 により遊技面28の上部側を明るく照明できる利点がある。
【図面の簡単な説明】
【図１】本発明の第１の実施例を示す遊技店内の構成図である。
【図２】本発明の第１の実施例を示す弾球遊技機の斜視図である。
【図３】本発明の第１の実施例を示す遊技盤の正面図である。
【図４】本発明の第１の実施例を示す弾球遊技機の上部の断面図である。
【図５】本発明の第１の実施例を示す弾球遊技機の上部の断面図である。
【図６】本発明の第１の実施例を示す制御系のブロック図である。
【図７】本発明の第２の実施例を示す弾球遊技機の上部の断面図である。
【図８】本発明の第３の実施例を示す弾球遊技機の斜視図である。
【図９】本発明の第４の実施例を示す弾球遊技機の斜視図である。
【符号の説明】
１３    遊技機本体
２８    遊技面
４３    天報知手段
４４    天報知カバー
４５    発光手段
４６    効果音発生手段
４８    傾斜部
５６    効果音出口
【図１】
0003583676.tif 000002
【図２】
0003583676.tif 000003
【図３】
0003583676.tif 000004
【図４】
0003583676.tif 000005
【図５】
0003583676.tif 000006
【図６】
0003583676.tif 000007
【図７】
0003583676.tif 000008
【図８】
0003583676.tif 000009
【図９】
0003583676.tif 000010